(57)【要約】【課題】  無線基地局の通信処理性能を低減させることなく、各無線基地局の周辺エリアの無線ＬＡＮトラフィック状況に応じた動的なＱｏＳ制御を実現可能な無線ＬＡＮシステムを提供する。【解決手段】  制御装置Ｓは各無線基地局Ａ１〜Ａ３が無線端末局ＳＴ１〜ＳＴ７との通信においてＱｏＳ制御を実施する際のＱｏＳポリシーを管理するＱｏＳポリシー管理テーブルを備え、ＱｏＳポリシー管理テーブル上のＱｏＳポリシーを各無線基地局Ａ１〜Ａ３から通知されるトラフィック情報に基づいて変更し、これを無線基地局Ａ１〜Ａ３に通知する。各無線基地局Ａ１〜Ａ３は、制御装置Ｓから通知される最新のＱｏＳポリシーにしたがって、無線端末局ＳＴ１〜ＳＴ７との通信に対するＱｏＳ制御を変更する。【選択図】      図１
2007180889.tif 000002
【特許請求の範囲】
【請求項１】
無線ＬＡＮ（Ｌｏｃａｌ  Ａｒｅａ  Ｎｅｔｗｏｒｋ）を介して接続される無線基地局及び無線端末局と、前記無線基地局との通信インタフェースを備える制御装置とから構成される無線ＬＡＮシステムであって、
前記無線基地局は、自局と前記無線端末局との間で通信されるデータ量及びサービス内容の監視及び集計を行う手段と、その集計結果をトラフィック情報として前記制御装置に通知する手段とを有し、
前記制御装置は、前記無線基地局が前記無線端末局との間の通信においてＱｏＳ（Ｑｕａｌｉｔｙ  ｏｆ  Ｓｅｒｖｉｃｅ）制御を実施する際のＱｏＳポリシーを管理するＱｏＳポリシー管理テーブルと、前記無線基地局から通知されるトラフィック情報に基づいて前記ＱｏＳポリシー管理テーブル上のＱｏＳポリシーを変更する手段と、その変更したＱｏＳポリシーを前記無線基地局に通知する手段とを有することを特徴とする無線ＬＡＮシステム。
【請求項２】
前記無線基地局は、前記制御装置から通知される最新のＱｏＳポリシーにしたがって前記無線端末局との間の通信に対するＱｏＳ制御を変更する手段を含むことを特徴とする請求項１記載の無線ＬＡＮシステム。
【請求項３】
前記制御装置は、予め設定されたスケジュールに基づいて前記ＱｏＳポリシーを作成する手段を含むことを特徴とする請求項１または請求項２記載の無線ＬＡＮシステム。
【請求項４】
前記ＱｏＳポリシーは、データ通信を優先するポリシーと音声通信を優先するポリシーとを少なくとも含むことを特徴とする請求項１から請求項３のいずれか記載の無線ＬＡＮシステム。
【請求項５】
無線ＬＡＮ（Ｌｏｃａｌ  Ａｒｅａ  Ｎｅｔｗｏｒｋ）を介して接続される無線基地局及び無線端末局を含む無線ＬＡＮシステムにおいて、前記無線基地局との通信インタフェースを備える制御装置であって、
前記無線基地局が前記無線端末局との間の通信においてＱｏＳ（Ｑｕａｌｉｔｙ  ｏｆ  Ｓｅｒｖｉｃｅ）制御を実施する際のＱｏＳポリシーを管理するＱｏＳポリシー管理テーブルと、前記無線基地局と前記無線端末局との間で通信されるデータ量及びサービス内容の監視及び集計の結果を示すトラフィック情報に基づいて前記ＱｏＳポリシー管理テーブル上のＱｏＳポリシーを変更する手段と、その変更したＱｏＳポリシーを前記無線基地局に通知する手段とを有することを特徴とする制御装置。
【請求項６】
予め設定されたスケジュールに基づいて前記ＱｏＳポリシーを作成する手段を含むことを特徴とする請求項５記載の制御装置。
【請求項７】
前記ＱｏＳポリシーは、データ通信を優先するポリシーと音声通信を優先するポリシーとを少なくとも含むことを特徴とする請求項５または請求項６記載の制御装置。
【請求項８】
無線端末局が無線ＬＡＮ（Ｌｏｃａｌ  Ａｒｅａ  Ｎｅｔｗｏｒｋ）を介して接続され、制御装置が通信インタフェースを介して接続される無線基地局であって、
自局と前記無線端末局との間で通信されるデータ量及びサービス内容の監視及び集計を行う手段と、その集計結果をトラフィック情報として前記制御装置に通知する手段とを有し、
自局が前記無線端末局との間の通信においてＱｏＳ（Ｑｕａｌｉｔｙ  ｏｆ  Ｓｅｒｖｉｃｅ）制御を実施する際のＱｏＳポリシーを管理するＱｏＳポリシー管理テーブル上のＱｏＳポリシーを、前記制御装置が自局から通知するトラフィック情報に基づいて変更することを特徴とする無線基地局。
【請求項９】
前記制御装置から通知される最新のＱｏＳポリシーにしたがって前記無線端末局との間の通信に対するＱｏＳ制御を変更する手段を含むことを特徴とする請求項８記載の無線基地局。
【請求項１０】
前記ＱｏＳポリシーは、データ通信を優先するポリシーと音声通信を優先するポリシーとを少なくとも含むことを特徴とする請求項８または請求項９記載の無線基地局。
【請求項１１】
無線ＬＡＮ（Ｌｏｃａｌ  Ａｒｅａ  Ｎｅｔｗｏｒｋ）を介して接続される無線基地局及び無線端末局と、前記無線基地局との通信インタフェースを備える制御装置とから構成される無線ＬＡＮシステムに用いるＱｏＳ（Ｑｕａｌｉｔｙ  ｏｆ  Ｓｅｒｖｉｃｅ）制御方法であって、
前記無線基地局が、自局と前記無線端末局との間で通信されるデータ量及びサービス内容の監視及び集計を行う処理と、その集計結果をトラフィック情報として前記制御装置に通知する処理とを実行し、
前記制御装置が、前記無線基地局が前記無線端末局との間の通信においてＱｏＳ制御を実施する際のＱｏＳポリシーを管理するＱｏＳポリシー管理テーブル上のＱｏＳポリシーを、前記無線基地局から通知されるトラフィック情報に基づいて変更する処理と、その変更したＱｏＳポリシーを前記無線基地局に通知する処理とを実行することを特徴とするＱｏＳ制御方法。
【請求項１２】
前記無線基地局が、前記制御装置から通知される最新のＱｏＳポリシーにしたがって前記無線端末局との間の通信に対するＱｏＳ制御を変更する処理を実行することを特徴とする請求項１１記載のＱｏＳ制御方法。
【請求項１３】
前記制御装置が、予め設定されたスケジュールに基づいて前記ＱｏＳポリシーを作成する処理を実行することを特徴とする請求項１１または請求項１２記載のＱｏＳ制御方法。
【請求項１４】
前記ＱｏＳポリシーが、データ通信を優先するポリシーと音声通信を優先するポリシーとを少なくとも含むことを特徴とする請求項１１から請求項１３のいずれか記載のＱｏＳ制御方法。
【発明の詳細な説明】
【技術分野】
【０００１】
本発明は無線ＬＡＮシステム、制御装置、無線基地局及びそれらに用いるＱｏＳ制御方法に関し、特に無線ＬＡＮ（Ｌｏｃａｌ  Ａｒｅａ  Ｎｅｔｗｏｒｋ）システムにおけるＱｏＳ（Ｑｕａｌｉｔｙ  ｏｆ  Ｓｅｒｖｉｃｅ）制御方法に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１に準拠した無線ＬＡＮシステムにおいては、追加機能としてＱｏＳ制御の標準化が行われ、その実用化が始まっている。
【０００３】
これは、通信トラフィックの内容を、遅延量が制限される音声と、遅延量の制限がゆるやかな通常データというように、そのサービス内容や要求される通信品質毎にカテゴリー分けし、カテゴリー間に送信時の優先順位を設定したり、カテゴリー毎の使用帯域を保証または制限するＱｏＳポリシーを実施する機能である。このＱｏＳポリシーの設定に関しては、無線基地局内のＱｏＳ管理部から無線端末局へＱｏＳポリシーを設定するものがある（例えば、特許文献１参照）。
【０００４】
【特許文献１】特開２００４−１８６７５３号公報
【発明の開示】
【発明が解決しようとする課題】
【０００５】
しかしながら、上述した従来の無線ＬＡＮシステムでは、常に変動する通信トラフィックを予め予想することが困難であり、実際のトラフィックに適応する効率的なＱｏＳポリシーをオペレータが設定することが実際には不可能である。
【０００６】
また、従来の無線ＬＡＮシステムでは、無線基地局や無線端末局にＱｏＳポリシーを動的に制御する機能を具備させることも可能である。この場合、複雑なポリシー決定アルゴリズムを実装することは、無線基地局や無線端末局の処理性能を低減させるという影響がある。
【０００７】
さらに、上記の特許文献１に記載の技術では、トラフィックの変動に対応した効率的なＱｏＳポリシーを予めオペレータが設定することは困難であり、またＱｏＳポリシーの動的制御機能を無線基地局に具備させることは、無線基地局の処理性能を低減させるという影響がある。
【０００８】
そこで、本発明の目的は上記の問題点を解消し、無線基地局の通信処理性能を低減させることなく、各無線基地局の周辺エリアの無線ＬＡＮトラフィック状況に応じた動的なＱｏＳ制御を実現することができる無線ＬＡＮシステム、制御装置、無線基地局及びそれらに用いるＱｏＳ制御方法を提供することにある。
【課題を解決するための手段】
【０００９】
本発明による無線ＬＡＮシステムは、無線ＬＡＮ（Ｌｏｃａｌ  Ａｒｅａ  Ｎｅｔｗｏｒｋ）を介して接続される無線基地局及び無線端末局と、前記無線基地局との通信インタフェースを備える制御装置とから構成される無線ＬＡＮシステムであって、
前記無線基地局は、自局と前記無線端末局との間で通信されるデータ量及びサービス内容の監視及び集計を行う手段と、その集計結果をトラフィック情報として前記制御装置に通知する手段とを備え、
前記制御装置は、前記無線基地局が前記無線端末局との間の通信においてＱｏＳ（Ｑｕａｌｉｔｙ  ｏｆ  Ｓｅｒｖｉｃｅ）制御を実施する際のＱｏＳポリシーを管理するＱｏＳポリシー管理テーブルと、前記無線基地局から通知されるトラフィック情報に基づいて前記ＱｏＳポリシー管理テーブル上のＱｏＳポリシーを変更する手段と、その変更したＱｏＳポリシーを前記無線基地局に通知する手段とを備えている。
【００１０】
本発明による制御装置は、無線ＬＡＮ（Ｌｏｃａｌ  Ａｒｅａ  Ｎｅｔｗｏｒｋ）を介して接続される無線基地局及び無線端末局を含む無線ＬＡＮシステムにおいて、前記無線基地局との通信インタフェースを備える制御装置であって、
前記無線基地局が前記無線端末局との間の通信においてＱｏＳ（Ｑｕａｌｉｔｙ  ｏｆ  Ｓｅｒｖｉｃｅ）制御を実施する際のＱｏＳポリシーを管理するＱｏＳポリシー管理テーブルと、前記無線基地局と前記無線端末局との間で通信されるデータ量及びサービス内容の監視及び集計の結果を示すトラフィック情報に基づいて前記ＱｏＳポリシー管理テーブル上のＱｏＳポリシーを変更する手段と、その変更したＱｏＳポリシーを前記無線基地局に通知する手段とを備えている。
【００１１】
本発明による無線基地局は、無線端末局が無線ＬＡＮ（Ｌｏｃａｌ  Ａｒｅａ  Ｎｅｔｗｏｒｋ）を介して接続され、制御装置が通信インタフェースを介して接続される無線基地局であって、
自局と前記無線端末局との間で通信されるデータ量及びサービス内容の監視及び集計を行う手段と、その集計結果をトラフィック情報として前記制御装置に通知する手段とを備え、
自局が前記無線端末局との間の通信においてＱｏＳ（Ｑｕａｌｉｔｙ  ｏｆ  Ｓｅｒｖｉｃｅ）制御を実施する際のＱｏＳポリシーを管理するＱｏＳポリシー管理テーブル上のＱｏＳポリシーを、前記制御装置が自局から通知するトラフィック情報に基づいて変更している。
【００１２】
本発明によるＱｏＳ制御方法は、無線ＬＡＮ（Ｌｏｃａｌ  Ａｒｅａ  Ｎｅｔｗｏｒｋ）を介して接続される無線基地局及び無線端末局と、前記無線基地局との通信インタフェースを備える制御装置とから構成される無線ＬＡＮシステムに用いるＱｏＳ（Ｑｕａｌｉｔｙ  ｏｆ  Ｓｅｒｖｉｃｅ）制御方法であって、
前記無線基地局が、自局と前記無線端末局との間で通信されるデータ量及びサービス内容の監視及び集計を行う処理と、その集計結果をトラフィック情報として前記制御装置に通知する処理とを実行し、
前記制御装置が、前記無線基地局が前記無線端末局との間の通信においてＱｏＳ制御を実施する際のＱｏＳポリシーを管理するＱｏＳポリシー管理テーブル上のＱｏＳポリシーを、前記無線基地局から通知されるトラフィック情報に基づいて変更する処理と、その変更したＱｏＳポリシーを前記無線基地局に通知する処理とを実行している。
【００１３】
すなわち、本発明の無線ＬＡＮシステムは、無線ＬＡＮ（Ｌｏｃａｌ  Ａｒｅａ  Ｎｅｔｗｏｒｋ）を介して接続される無線基地局及び無線端末局と、無線基地局との通信インタフェースを備えた制御装置とから構成されている。
【００１４】
各無線基地局は、自局と無線端末局の間で通信されるデータ量やサービス内容の監視及び集計を行い、その集計結果をトラフィック情報として制御装置に通知する。
【００１５】
制御装置は、各無線基地局が無線端末局との通信においてＱｏＳ（Ｑｕａｌｉｔｙ  ｏｆ  Ｓｅｒｖｉｃｅ）制御を実施する際のポリシーを管理するＱｏＳポリシー管理テーブル上のＱｏＳポリシーを、各無線基地局から通知されるトラフィック情報に基づいて変更し、これを無線基地局に通知している。
【００１６】
また、各無線基地局は、制御装置から通知される最新のＱｏＳポリシーにしたがって、無線端末局との通信に対するＱｏＳ制御を変更する。これによって、本発明の無線ＬＡＮシステムでは、各無線基地局の周辺エリアの無線ＬＡＮトラフィック状況に応じた動的なＱｏＳ制御が実現可能となる。
【００１７】
つまり、本発明の無線ＬＡＮシステムでは、無線基地局から通知されるトラフィック情報に基づいて、制御装置が新しいＱｏＳポリシーを作成し、制御装置から通知される最新のＱｏＳポリシーにしたがって、無線基地局が無線端末局との通信に対するＱｏＳ制御を変更することによって、無線基地局の通信処理性能を低減させることなく、各無線基地局の周辺エリアの無線ＬＡＮトラフィック状況に応じた動的なＱｏＳ制御が実現可能となる。
【発明の効果】
【００１８】
本発明は、上記のような構成及び動作とすることで、無線基地局の通信処理性能を低減させることなく、各無線基地局の周辺エリアの無線ＬＡＮトラフィック状況に応じた動的なＱｏＳ制御を実現することができるという効果が得られる。
【発明を実施するための最良の形態】
【００１９】
次に、本発明の実施例について図面を参照して説明する。図１は本発明の一実施例による無線ＬＡＮ（Ｌｏｃａｌ  Ａｒｅａ  Ｎｅｔｗｏｒｋ）システムの構成を示すブロック図である。図１において、本発明の一実施例による無線ＬＡＮシステムは、それぞれ１つの無線基地局Ａ１〜Ａ３と複数の無線端末局ＳＴ１〜ＳＴ７とから構成される複数のＢＳＳ（Ｂａｓｉｃ  Ｓｅｒｖｉｃｅ  Ｓｅｔ：無線ＬＡＮシステムの基本サービス単位）１〜ＢＳＳ３と、これら複数のＢＳＳ１〜ＢＳＳ３を同時に制御することが可能な制御装置Ｓと、無線基地局Ａ１，Ａ２及び制御装置Ｓが接続されるＬＡＮ１０１と無線基地局Ａ３及びホストＨが接続されるＬＡＮ１０２とを接続するブリッジ／ルータＢとから構成されている。ここで、ＬＡＮ１０１，１０２は各無線基地局Ａ１〜Ａ３が接続されるイーサネット（登録商標）等の有線ネットワークである。
【００２０】
図２は本発明の一実施例による無線基地局及び制御装置の構成例を示すブロック図である。図２において、無線基地局１は、無線周波数の送受信と変復調を行う無線送受信回路１１と、通信媒体である無線回線へのアクセス制御を行う媒体アクセス制御回路１２と、送受信データをバッファリングする送受信データバッファ１３と、接続される有線ネットワークとのインタフェースである有線Ｉ／Ｆ（インタフェース）回路１４と、無線基地局１内の各回路を制御するマイクロプロセッサである基地局制御部（ＭＰＵ：Ｍｉｃｒｏ  Ｐｒｏｃｅｓｓｉｎｇ  Ｕｎｉｔ）１５とから構成されている。
【００２１】
基地局制御部１５は、送受信データバッファ１３上の送受信データを監視することによって、自局と無線端末局ＳＴ１〜ＳＴ７との間で通信されるデータの量やサービス内容を集計し、このトラフィック情報を有線Ｉ／Ｆ回路１４を介して制御装置２に通知する機能を有している。
【００２２】
媒体アクセス制御回路１２は、無線ＬＡＮの標準プロトコルの１つであるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１に準拠した媒体アクセス制御を行うものとする。
【００２３】
制御装置２は、接続される有線ネットワークとのインタフェースである有線Ｉ／Ｆ回路２１と、上記の無線基地局１（各無線基地局Ａ１〜Ａ３）が無線端末局ＳＴ１〜ＳＴ７との通信においてＱｏＳ（Ｑｕａｌｉｔｙ  ｏｆ  Ｓｅｒｖｉｃｅ）制御を実施する際のＱｏＳポリシーを管理するＱｏＳポリシー管理テーブル２２と、上記の無線基地局１（各無線基地局Ａ１〜Ａ３）から通知されるトラフィック情報に基づいてＱｏＳポリシー管理テーブル２２上のＱｏＳポリシーを更新する機能を備えるＱｏＳポリシー制御部２３とから構成されている。
【００２４】
ＱｏＳポリシー制御部２３は、有線Ｉ／Ｆ回路２１を介して上記の無線基地局１（各無線基地局Ａ１〜Ａ３）から通知されるトラフィック情報を受信し、さらにＱｏＳポリシー管理テーブル２２上にある最新のＱｏＳポリシーを有線Ｉ／Ｆ回路２１を介して上記の無線基地局１（各無線基地局Ａ１〜Ａ３）に通知する機能をも備えている。
【００２５】
図３は本発明の一実施例による無線端末局の構成例を示すブロック図である。図３において、無線端末局３は、ＰＣ（Ｐｅｒｓｏｎａｌ  Ｃｏｍｐｕｔｅｒ）やプリンタ等のＯＡ（Ｏｆｆｉｃｅ  Ａｕｔｏｍａｔｉｏｎ）機器あるいは家電機器に、装着または内蔵されることを想定している。
【００２６】
無線端末局３は、無線周波数の送受信と変復調を行う無線送受信回路３１と、通信媒体である無線回線へのアクセス制御を行う媒体アクセス制御回路３２と、送受信データをバッファリングする送受信データバッファ３３と、ＰＣ等の装着される装置側の回路とのインタフェースである有線Ｉ／Ｆ回路３４と、無線端末局３内の各回路を制御するマイクロプロセッサである端末局制御部（ＭＰＵ）３５とから構成されている。無線端末局３の媒体アクセス制御回路３２は、上記の無線基地局１側と同様に、ＩＥＥＥ８０２．１１に準拠した媒体アクセス制御を行うものとする。
【００２７】
図４〜図６は本発明の一実施例による無線ＬＡＮシステムにおけるＱｏＳ制御を示すシーケンスチャートである。図４〜図６には、本発明の一実施例によるＱｏＳ制御方法を使用して無線基地局Ａ１〜Ａ３が無線端末局ＳＴ１〜ＳＴ７との間の通信におけるＱｏＳ制御を実施するシーケンスの一例を示している。
【００２８】
図４では、無線基地局Ａ１に対して、無線端末局ＳＴ１，ＳＴ２，ＳＴ３，ＳＴ４，ＳＴ５が順番に接続を要求するものとする。ここで、無線端末局ＳＴ１，ＳＴ５は電子メールやインタネットコンテンツの利用等、データの送受信のみを行う端末であり、その他の無線端末局ＳＴ２，ＳＴ３，ＳＴ４は音声通信を行う端末であるものとする。
【００２９】
無線基地局Ａ１から接続が許可された各無線端末局ＳＴ１，ＳＴ２，ＳＴ３，ＳＴ４，ＳＴ５は、それぞれの利用サービスに応じた通信を開始する。図４において、無線基地局Ａ１と無線端末局ＳＴ１，ＳＴ２，ＳＴ３，ＳＴ４，ＳＴ５との間の矢印の太さは、無線端末局ＳＴ１，ＳＴ２，ＳＴ３，ＳＴ４，ＳＴ５各々が利用するサービスで使用される無線帯域量の大小を示している。また、基地局Ａ１には２台のデータの送受信のみの無線端末局、２台の音声通信の無線端末局の接続を許可するＱｏＳポリシーが設定されているものとする。
【００３０】
図４のＸ点のタイミングまで、一定期間、データの送受信のみの１台の無線端末局ＳＴ１及び音声通信の２台の無線端末局ＳＴ２，ＳＴ３だけが接続された状態が続いたため、制御装置Ｓは２台目のデータの送受信のみの無線端末局ＳＴ５の通信用に確保していた帯域を音声通信の無線端末局用に切替えることが有効と判断し、３台目の音声通信の無線端末局ＳＴ４の接続を許可するＱｏＳポリシーを基地局Ａ１に通知する。
【００３１】
この新しいＱｏＳポリシーによって、３台目の音声通信の無線端末局ＳＴ４の接続が許可される。しかしながら、次にデータの送受信のみの無線端末局ＳＴ５が接続を要求し、この接続を許可したことがトラフィック情報として基地局Ａ１から制御装置Ｓに通知される。
【００３２】
このトラフィック情報を受信した制御装置Ｓは、ＱｏＳポリシー管理テーブル２２上の基地局Ａ１のＱｏＳポリシーを、２台のデータの送受信のみの無線端末局及び２台の音声通信の無線端末局の接続を許可する最初のＱｏＳポリシーに戻し、これを基地局Ａ１に通知する。最新のＱｏＳポリシーに基づいて、基地局Ａ１は音声通信の無線端末局ＳＴ４の接続を強制的に切断し、データの送受信のみの無線端末局ＳＴ５が使用する帯域を確保する。
【００３３】
図４における制御装置ＳのＱｏＳポリシー制御部２３は、音声サービスよりもデータサービスを優先する制御方法を用いているが、これに対して、音声サービスを優先する制御方法の例を示したのが図５に示すシーケンスである。
【００３４】
すなわち、図５においては、Ｘ点のタイミングで、制御装置Ｓが、３台目の音声通信の無線端末局ＳＴ４の接続を許可するＱｏＳポリシーを基地局Ａ１に通知することまでは、図４に示すシーケンスと同じであるが、データの送受信のみの無線端末局ＳＴ５が接続を要求してきた時、制御装置Ｓは音声サービス用の帯域を優先するため、データの送受信のみの無線端末局ＳＴ５の接続要求を拒絶するＱｏＳポリシーを基地局Ａ１に通知する。これによって、基地局Ａ１の下では３台の音声通信の無線端末局ＳＴ２，ＳＴ３，ＳＴ４の使用帯域が維持される。
【００３５】
接続が拒否されたデータの送受信のみの無線端末局ＳＴ５については、制御装置Ｓが隣接する基地局Ａ２を選択し、データの送受信のみの無線端末局ＳＴ５の接続を他の無線端末局に優先して許可するようなＱｏＳポリシーを基地局Ａ２に通知する。この場合、基地局Ａ１と基地局Ａ２とは、図１に示すようにその通信圏が一部重複し、かつ異なる周波数を使用していることを前提とする。
【００３６】
制御装置Ｓが基地局Ａ２に通知するＱｏＳポリシーの内容としては、一時的に送信出力を増大させることによって、データの送受信のみの無線端末局ＳＴ５が基地局Ａ２へ接続要求を送信するように誘導することも可能である。これは、無線端末局の多くが、周辺に存在する無線基地局のうち、送信出力が最も強い無線基地局を選択する機能を実装していることを利用するものである。
【００３７】
さらに、図６では、無線基地局とデータの送受信のみの無線端末局との通信トラフィックが、無線基地局から無線端末局へのダウンリンク方向に偏重している条件において、音声通信の無線端末局ＳＴ４が基地局Ａ１に接続することによって、３台の音声通信の無線端末局が使用する帯域が不足していると制御装置Ｓが判断した場合、Ｙ点において、制御装置Ｓから基地局Ａ１に対し、データの送受信のみの無線端末局ＳＴ１へのデータ送信に使用する帯域を縮小するＱｏＳポリシーを通知する。
【００３８】
この新しいＱｏＳポリシーを受けた基地局Ａ１は、データの送受信のみの無線端末局ＳＴ１へ送信するデータを装置内の送受信データバッファ１３にバッファリングし、データの送受信のみの無線端末局ＳＴ１への送信の優先度を下げることによって、データ送信用の使用帯域を縮小する。
【００３９】
このように、本実施例では、無線基地局Ａ１〜Ａ３から通知されるトラフィック情報に基づいて、制御装置Ｓが新しいＱｏＳポリシーを作成し、無線基地局Ａ１〜Ａ３が制御装置Ｓから通知される最新のポリシーにしたがって、無線端末局ＳＴ１〜ＳＴ７との通信に対するＱｏＳ制御を変更することによって、無線基地局Ａ１〜Ａ３の通信処理性能を低減させることなく、各無線基地局Ａ１〜Ａ３の周辺エリアの無線ＬＡＮトラフィック状況に応じた動的なＱｏＳ制御を実現することができる。
【００４０】
尚、本発明では、上記の実施例において、無線基地局Ａ１〜Ａ３から通知されるトラフィック情報のみを使用して、制御装置Ｓが新しいＱｏＳポリシーを作成しているが、予めオペレータが設定するスケジュールに基づいてＱｏＳポリシーを作成する機能を制御装置ＳのＱｏＳポリシー制御部２３に追加することも可能である。
【００４１】
例えば、企業内の通信ネットワークの場合、社員の多くが音声サービスを利用する日中は音声サービスを優先する図５に示すシーケンスを、逆に音声サービスの利用が少ない夜間は、データサービスを優先する図４に示すシーケンスでＱｏＳポリシーを作成するように、予め設定されたスケジュールにしたがって制御装置ＳのＱｏＳポリシー制御部２３がポリシー制御方法を切替えるようにすることも可能である。
【図面の簡単な説明】
【００４２】
【図１】本発明の一実施例による無線ＬＡＮシステムの構成を示すブロック図である。
【図２】本発明の一実施例による無線基地局及び制御装置の構成例を示すブロック図である。
【図３】本発明の一実施例による無線端末局の構成例を示すブロック図である。
【図４】本発明の一実施例による無線ＬＡＮシステムにおけるＱｏＳ制御を示すシーケンスチャートである。
【図５】本発明の一実施例による無線ＬＡＮシステムにおけるＱｏＳ制御を示すシーケンスチャートである。
【図６】本発明の一実施例による無線ＬＡＮシステムにおけるＱｏＳ制御を示すシーケンスチャートである。
【符号の説明】
【００４３】
１，Ａ１〜Ａ３  無線基地局
２，Ｓ  制御装置
３，ＳＴ１〜ＳＴ７  無線端末局
１１，３１  無線送受信回路
１２，３２  媒体アクセス制御回路
１３，３３  送受信データバッファ
１４，２１，３４  有線Ｉ／Ｆ回路
１５  基地局制御部
２２  ＱｏＳポリシー管理テーブル
２３  ＱｏＳポリシー制御部
３５  端末局制御部
１０１，１０２  ＬＡＮ
Ｂ  ブリッジ／ルータ
Ｈ  ホスト
【図１】
2007180889.tif 000003
【図２】
2007180889.tif 000004
【図３】
2007180889.tif 000005
【図４】
2007180889.tif 000006
【図５】
2007180889.tif 000007
【図６】
2007180889.tif 000008